Podtech/llm-jp-corpus-v4-ja_patent huggingface dataset:
(57)【要約】【課題】    本考案は、ミミズやゴカイ等の環形動物をハリスにまっすぐ突き通すことができる生餌取付け用ガイドを有する釣り針を提供することである。【解決手段】    先端を傾斜角に形成し、環形動物を突き刺す剛性を有する管状の生餌取り付け用ガイド３を釣り針１からハリス２の先端より突出させ、かつハリスから該ガイドのみ離脱できるように装着した使い捨てタイプに構成し、生餌をガイド３の先端から直接にミミズやゴカイ等の環形動物をハリスの部分まで真っ直ぐに突き通すことができることを特徴とする釣り針である。【選択図】図１
0003136167.tif 000002
【実用新案登録請求の範囲】
【請求項１】
釣り針のハリスの部分を、先端を傾斜角に形成し、かつ断面がハリス断面積より大きい管状とし、該ハリスに生餌を装着後にハリスから離脱する生餌取り付け用ガイドで覆った構成としたことを特徴とする釣り針。
【請求項２】
生餌取り付け用ガイド先端の傾斜角を約１０°〜８０°位までに形成したことを特徴とする請求項１記載の釣り針。
【請求項３】
生餌取付け用ガイドに剛性があり、かつ穀類、合成樹脂、金属、紙類等の少なくとも一種以上の材質からなる構成したことを特徴とする請求項１又は２記載の釣り針。
【考案の詳細な説明】
【技術分野】
【０００１】    本考案は、釣り針のハリスに生餌取り付け用ガイドを装着した釣り針に関するものである。
【背景技術】
【０００２】    海や川、沼等において生餌で釣りをする時は、ハリス付き釣り針にミミズやゴカイ等の環形動物からなる釣り餌、所謂、生餌を直接に指で摘んで釣り針に取り付けていた。
【考案の開示】
【考案が解決しようとする課題】
【０００３】        しかしながら、直接ミミズやゴカイ等の環形動物を指で摘んで釣り針につける時は、ミミズやゴカイ等の環形動物が暴れたり、指から滑り落ちたり、或いは身体がくねくねしたりして変化が大きく環形動物を釣り針からハリスの部分までまっすぐに取り付けることには訓練が必要であり、しかも素人にとっては短時間に、かつ確実に取り付けるのが困難であった。【０００４】      そこで、本考案はハリスの部分に、ハリス末端から針取り付け部位までを生餌取り付用ガイドで覆い、かつ生餌取り付け用ガイドの先端を傾斜角度の端面に形成してミミズやゴカイ等の環形動物に突き通し、生餌を針に取り付け後に生餌取り付け用ガイドをハリスから抜き取ることにより課題を解決したものである。
【課題を解決するための手段】
【０００５】    本考案は、このような欠点を除去するため、釣り針のハリスの部分を、先端を傾斜面に形成した管状の生餌取り付け用ガイドで覆い、環形動物等の生餌を容易に突き通し、その後で生餌取り付け用ガイドを容易に、かつ瞬時にハリスから抜き取る構成としたものである。
【考案の効果】
【０００６】      上述のように、本考案に係る釣り針は、先端を傾斜面に形成した管状の生餌取り付け用ガイドでハリスを覆い、該ガイド先端の傾斜面にした先端部分から直接ミミズやゴカイ等の環形動物に簡単、かつ確実に突き通すことができ、生餌を無駄にすることも無く、次ぎに生餌取り付けガイドを抜き取ることで生餌を釣り針からハリスの部分まで真っ直ぐに取り付けられる使い捨ての釣り針を提供するものである。
【考案を実施するための最良の形態】
【０００７】      以下に、図面を用いて本考案に係る釣り針の一実施例について詳細に説明する。
図１は本考案に係る釣り針を示す概略説明用の断面図であり、１は釣り針、２はハリス、３は生餌取り付け用ガイドでハリス２を着脱可能に内挿した管状の断面を有するものである。【０００８】      釣り針１は、汎用の海や川用の針であり、ハリス２は目的に応じて、例えば０、５号、０，６，又は０，８号等を用いる。生餌取り付け用ガイド３は環形動物の頭などに突き刺すため傾斜面３ａを例えば図２にＡ部を抽出して拡大して示すように傾斜面、例えばθを約１０〜８０°位に形成する。また、生餌取り付け用ガイド３は、例えば図１，図２に示す位置までの長さであり、上記ガイド３は生餌を取り付けた後にハリス２から引き抜くためハリス２から突出する長さ、及び図３に示すような断面積を有する太さとしたものである。【０００９】        また、生餌取り付け用ガイド３を拡大して説明すると、図３に拡大して示す断面であり、生餌を取り付け後は、ハリス２から生餌取り付け用ガイド３を簡単に引き抜ける構成である。さらに、生餌取付け用ガイド３は、環形動物を突き刺す程度の剛性を有し、例えばポリエチレン樹脂等の合成樹脂製、若しくはスパゲッテイ原料に類似した穀類、金属製、紙製等の１種以上から構成したものである。
【図面の簡単な説明】
【００１１】
【図１】本考案に係る釣り針の一実施例を示す概略説明用断面図である。
【図２】図１におけるＡ部の拡大断面図である。
【図３】図１におけるＢ−Ｂ線の端面図である。
【００１０】        １  釣り針
２  ハリス
３  生餌取り付け用ガイド３
【図１】
0003136167.tif 000003
【図２】
0003136167.tif 000004
【図３】
0003136167.tif 000005
(57)【要約】【課題】  本考案は写真自体に文字盤を合成し、掛時計を制作するもので、簡単構造で、写真の経年変化を防止し、永年の観賞に耐えるものである。【解決手段】本考案は任意の写真自体に文字盤を合成して新たな写真を作成し、その表面に接着剤を塗布して透明アクリル板を圧着接着しムーブメントを装着して掛時計を制作する、簡単構造で、写真の経年変化を防止し、永年の観賞に耐えるものである。【選択図】図１
0003136162.tif 000002
【実用新案登録請求の範囲】
【請求項１】
多角形の透明アクリル板の裏面に写真の表面を貼り付けた時計。
【請求項２】
請求項１に記載の写真は、任意の写真に文字盤を合成して文字盤と写真が一体となった写真。
【考案の詳細な説明】
【技術分野】
【０００１】  本考案は、ユーザーの提供したイメージ写真を時計の文字盤に利用し、オリジナル掛時計の作成方法に関するものである。
【背景技術】
【０００２】  従来、時計の文字盤の背景に任意の写真や絵等の背景紙を使用したものはいろいろあるが、文字盤やカバーで押さえつける等構造的に複雑であるものが多い。
【考案の開示】
【考案が解決しようとする課題】
【０００３】  本考案は、アクリル板に写真を貼付することにより構造の簡素化を図り、写真の退色を防ぎ、永年の観賞に耐える記念の掛時計を提供するものである。
【課題を解決するための手段】
【０００４】  本考案は、任意の多角形に切り抜いた透明アクリル板の裏面から写真の表面を貼り付け、その写真には時計の文字盤を合成してあり、透明アクリル板の表面を通して文字盤を見せるようにした。
【考案の効果】
【０００５】  上述の様に、本考案のオンリーワンメモリアル掛時計は、文字盤を合成した写真の表面に透明アクリル板を貼り付けることにより、構造を単純化し、写真の退色等の経年変化を抑え、透明アクリル板を通して写真を見ることによる美的効果を増進するものである。
【考案の実施するための最良の形態】
【０００６】  透明アクリル板を任意の形（四角形、八角形等）に切り抜き、任意の写真に文字盤を合成する。当該任意の写真は、プリント写真、ネガフィルム、ポジフィルム、デジタルデータいずれでも可能とし、合成する文字盤は、あらかじめ用意された数種のパターンの中から注文者が選択したものとする。プリント写真、ネガフィルム、ポジフィルムは、スキャナを通してデジタルデータに変換され、デジタルデータはコンピュータを用いた画像処理ソフトにより、注文者選出の文字盤データと合成され、写真として出力される。こうして文字盤と一体となった一枚の写真を当該透明アクリル板と同一の形に裁断し写真の表面に接着剤を塗布して、透明アクリル板を圧着し貼り付ける。
【０００７】    当該写真貼付済透明アクリル板の中央に穿孔し、裏面よりムーブメントを取り付け表面に突出した針軸に長針と短針および秒針を取り付ける。
【図面の簡単な説明】
【０００８】
【図１】本考案のオンリーワンメモリアル時計の構成図である。
【図２】本掛時計の断面図である。
【図３】本掛時計の完成図である。
【符号の説明】
【０００９】  ａ  透明アクリル板
ｂ  文字盤を合成した写真
ｃ  ムーブメント
ｄ  時計の針軸
ｅ  ムーブメントをアクリル板に取り付けるナット
ｆ  時計の短針
ｇ  時計の長針
ｈ  時計の秒針
【図１】
0003136162.tif 000003
【図２】
0003136162.tif 000004
【図３】
0003136162.tif 000005
(57)【要約】【課題】  形成させた溝の形態をいかにして保ち続けさせられるかにあり、そこで本考案は上記問題点に鑑みて、繰り返し繰り返し溝の形成を計ることで問題解決にあたるもので、手動による使い勝手のよい持ち運びが楽で安価な排水溝形成具を提供する。【解決手段】  Ｌ字状のアングル部材を本体とし排水溝形成に本体が持つ重力と角を用いる。にぎりの力をけん引棒と本体に設けられた両端が固定された軸部前述軸部を回動する上下可動の回動部を介し前述本体に伝え制御する。使い勝手のよさで繰り返し排水溝形成を行い目的を可能とする。【選択図】図１
0003136163.tif 000002
【実用新案登録請求の範囲】
【請求項１】
水田の排水溝を形成する排水溝形成具であって、地面に当接しつつ、牽引されて排水溝を形成する本体と前記本体を牽引する牽引棒と、前記本体と前記牽引棒を連結する連結部とを備え、前記連結部は、本体の手前側牽引方向に対し略垂直に配置された軸部材と前記軸部材を軸として回動する回動部材とを含み前記牽引棒は前記回動部材に接続固定することを特徴とする排水溝形成具。
【考案の詳細な説明】
【技術分野】
【０００１】  従来水稲生産に於いて、水田に水を入れ（以後「水を張る」という）その後トラクターで水田の土を撹拌し、田面を均平にし苗を植えつける、そして植えつけた後は水田に水を張ったり排水する事をくり返す水管理を行う。
上記水田の排水の際には水田に形成された排水溝を介して排水する。
本考案は上記排水溝を形成させる器具に関するものである。
【背景技術】
【０００２】  上記排水溝を形成させる手段には、例えばすき分ける事が出来る機械を用いて形成させる手段とくわ類等の道具を用いた人力による手段がある。【０００３】  前記機械による手段の場合は農作物を植えつけた後に機械を水田に導入すると、機械で作業した近傍の農作物をいためたり押し分けられた土がもり上がり水田に張られた管理上必要な水面高より高くなり雑草発生の起因となる問題があった。【０００４】  また前記機械による手段の場合はエンジンの力を必要とし当然のごとく高価となる問題があった。【０００５】  一方前記排水溝形成作業を人力にて行う手段に於いては、足元の悪い中での作業となり土の移動を必要とする形成作業は労力を要し、又、機械利用よりはるかに時間を要する重労働となっている。
【考案の開示】
【考案が解決しようとしている課題】
【０００６】  上記問題点に鑑みてなされたものであり、本考案の目的は手動による使い勝手のよい持運びが楽で安価な排水溝形成具を提供する事にある。
【考案が解決するための手段】
【０００７】  Ｌ字状のアングル部材を含む本体Ａと前記本体Ａに両端を固定された軸部材３を軸にして回動する回動部材４と前記回動部材４に牽引方向に対し垂直に接続固定され上下動する把持部（握り１と牽引棒２）を備え本体Ａの引き手側の反対側後部に押し分けた土壌をならす均平板５を設ける。握り１の力を牽引棒２軸部３回動部４と介して、本体Ａを制御する事で問題解決にあたる。
【考案の効果】
【０００８】  本考案は持ち運びが容易な事から何時でも作業に取り組むことができる。したがって前記水を張って土を撹拌することを起因とする均平になる田面に対しその都度順応でき十分な水管理ができる。加えて引く又は押すだけで目的が達成でき労力がいらない。
【０００９】  前記水管理で排水が良好に進めば新鮮な水の供給が水田全体にくまなく行きわたり、水稲の成長をうながし増収につながる。
又、水田全体を一様に干し上げられる事ができ、収穫時の作業の進行がスムーズに進む。
又水田全体の稲の出来、不出来のバラツキがなくなる。
【考案を実施するための最良の形態】
【００１０】  実施例図１で示す様にＬ字状のアングル部材を本体Ａにその本体Ａの角８を下向きに形成させる。又、本体引き手側に両端を固定した軸部３を設けその軸部を回動する上下動の牽引棒２と連結された回動部４を設ける。又、本体Ａの引き手側と反対側後部に押し分けた土壌をならす均平板５を設け、排水溝形成を計る。
本体の重力を利用して排水溝形成を計るもので角利用は重さをさほど必要とせず耐久性に富んだ安値で持ち運びが楽な排水溝形成具となる。
【実施例】
【００１１】  図１は、本考案実施の実施例１の斜視図であって本体にＬ字状アングル部材を用いたものである。
Ａは本体１はにぎり、２は牽引棒、３は軸部、４は上下可動の回動部、５は均平板、⇒は牽引方向【００１２】  図２は、本考案実施に於いて、本体に円筒状金具材Ｂを用いた実施例１の角利用に対し円筒形状の外周を用いる実施例の斜視図である。Ｂは本体、１′はにぎり、２′は牽引棒、３′は軸部、４′は上下可動の回動部１０は外周、⇒は牽引方向【００１３】  図３は、本考案実施に於いて、本体に円筒状金具材Ｂ′を用い、そのＢ′の後方部に重さ調整用の水タンク６を設けたものである。図２同様排水溝形成に外周を用いる。
Ｂ′は本体、１″はにぎり、２″は牽引棒、３″は軸部４″は上下可動の回動部、７は水タンクの注水口、１０′は外周、⇒は牽引方向、本考案実施に於いて、水の流れについて円筒状の外形利用が大変有効な手段で実施例１に対し構造上わり高となるが利用価値は高い。【００１４】  図４は本体に半円筒形状の金具部材を用いたもので実施例２、３と同じく排水溝形成に外周を用いるものである。Ｃは本体１’’’は握り、２’’’は牽引棒、３’’’は軸部、４’’’は上下可動の回動部、１０″は外周、⇒は牽引方向
【産業上の利用可能性】
【００１５】  湿田の管理に大いに役立つ、特に冬場に於いて利便性が高い（この場合実施例１がもっとも有効な手段となる）
【図面の簡単な説明】
【００１６】
【図１】排水溝形成具の実施例１の斜視図である
【図２】排水溝形成具の実施例２の斜視図である
【図３】排水溝形成具の実施例３の斜視図である
【図４】排水溝形成具の実施例４の斜視図である
【符号の説明】
【００１７】
0003136163.tif 000003
３・３′・３″・３’’’  は  本体に接続固定された軸部
４・４′・４″・４’’’  は  牽引棒と略垂直に接続固定された回動部
５                        は  均平板
６                        は  水タンク
７                        は  注水口
８                        は  角
９・９′・９″・９’’’  は  把持部
１０・１０′・１０″      は  外周
Ａ・Ｂ・Ｂ′・Ｃ          は  本体
⇒                        は  牽引方向
【図１】
0003136163.tif 000004
【図２】
0003136163.tif 000005
【図３】
0003136163.tif 000006
【図４】
0003136163.tif 000007
(57)【要約】【課題】  本考案は、一個のローラーと円弧状の操作部材を組合せ、自身の背中部位をマッサージする。【解決手段】  一個のローラーを取り付けたローラー部に双方より円弧状の操作部材を結合する。ローラー部は適切の高さを設定し、且つ、円弧状の操作部材は長さ、円弧の曲がり角度、耐久性も適切に設定しているため、体型を選ばず両手での操作が容易になり、一個のローラーが人体の広範囲な背中の意図する部位を的確に自身でマッサージが可能となる。【選択図】図１
0003136165.tif 000002
【実用新案登録請求の範囲】
【請求項１】
一個のローラーを取り付けたローラー部に双方より円弧状の操作部材を結合させ、人体の背中部の意図する部位を的確に、両手を使用して、自身でマッサージ出来るところを特徴とする背中マッサージ器具。
【考案の詳細な説明】
【技術分野】
【０００１】  本考案は、一個のローラーを取付けた円弧状の背中部位をマッサージするための器具に関するものである。
【背景技術】
【０００２】  自身で背中部位をマッサージする際、片手で操作するローラー式、又は、突起部を操作して刺激する器具、あるいは両手で操作する器具でも、複数のローラー又は、球体を使用していた。
【考案の開示】
【考案が解決しょうとする課題】
【０００３】  自身で背中をマッサージする際、片手で操作する器具は両手で操作する器具に比し、より大きな力を必要とする上、背中部位のすべてをマッサージするのは困難である。又、両手で操作する器具においても、複数のローラーであるため、背中の任意の意図する部位のマッサージが困難であるため、前述の欠点を解決しようとするものである。
【課題を解決するための手段】
【０００４】  本考案は、一個のローラーを取り付けたローラー部に双方より円弧状の部材を結合させ、人体の背中部の意図する部位を的確に、両手を使用して自身でマッサージ出来るところを特徴とする背中マッサージ器具で、適度の円弧形にする事により、個人の体型を選ばずに使用可能。更に、両手で操作するため片手に比し力が軽減できる。又、中央の一個のローラーが意図する背中の部位を的確に自身でマッサージできる事により問題点を解決している。
【考案の効果】
【０００５】  上述の様に、本体を円弧形にする事により、体型を選ばず使用可能で、両手で操作するため力が軽減できる。又、一個のローラーを組み込む事と、耐久性のある硬質素材にする事により、背中の意図する部位を的確に捉える事が可能となる。更に、背中の広範囲の部位に対応可能である。
【考案の実施するための最良の形態】
【０００６】  一個のローラーを取り付けたローラー部に双方より円弧状の操作部材を結合する。ローラー部は適切の高さを設定し、且つ、円弧状の部材は長さ、円弧の曲がり角度も適切に設定しているため、体型を選ばず両手での操作が容易になり、人体の広範囲な背中部の意図する部位を的確に自身でマッサージが可能となる。
【実施例】
【０００７】  以下、添付図面に従って実施例を説明する。１は木材又は、耐久性のある硬質プラスチック等適性素材のローラー受、並びに、２との結合部、２は１と同素材の操作部材、３も１と同素材の部材のローラー、４はローラーの軸穴、５は２を接続する固定用芯の差込み穴。【０００８】  ６は３のローラーを填め込む溝、７は１と２を接続する固定用芯、８は３のローラーを受ける軸受芯で、図３はローラー受、並びに操作部の断面図。【０００９】  本考案の一実施例は、上記の如き構成となるものであるので、自身の背中の任意部位を的確に両手でマッサージが可能である。
【図面の簡単な説明】
【００１０】
【図１】本考案の背中マッサージ器具を示した平面図である。
【図２】中央に位置するローラー部を示した一部欠断平面図である。
【図３】ローラー部を示した断面図である。
【符号の説明】
【００１１】  １  ローラー部及び、操作部材結合部
２  操作部材
３  ローラー
４  ローラー軸穴
５  固定芯差込み穴
６  溝
７  固定用芯
８  軸受芯
【図１】
0003136165.tif 000003
【図２】
0003136165.tif 000004
【図３】
0003136165.tif 000005
(57)【要約】【課題】従来、すべての抜けた乳歯を揃えて容れる事が可能な容器がなかった。人形の口の中の歯ぐきの場所に医療用シリコンワックスを配置する事により、乳歯が抜けるたびに人形に乳歯を植え、全部抜けると人形の歯が生え揃う乳歯収納人形を提供する。【解決手段】人形の口の中の歯ぐきの場所に医療用シリコンワックスを配置する事により、乳歯が抜けるたびに人形に乳歯を植え、全部抜けると人形の歯が生え揃う事を特徴とする。【選択図】図３
0003136164.tif 000002
【実用新案登録請求の範囲】
【請求項１】
人形の口の中の歯ぐきの場所に溝を作りそこに医療用シリコンワックスを配置し、抜けた歯を植える事が可能な乳歯収納人形。
【考案の詳細な説明】
【考案の詳細な説明】
【技術分野】
【０００１】この考案は、人形の口の中の歯ぐきの場所に医療用シリコンワックスを配置し、抜けた歯を植える事が可能な人形に関するものである。
【考案が解決しようとする課題】
【０００２】従来、抜けた乳歯は屋根に投げたり、地面に埋めたりして、取っておいて記念にするという家庭があまりなかった。そのため少子化になり、こどもの記念なるとして抜けた乳歯を取っておきたくてもすべての乳歯を揃えて容れる事が可能な容器がなかった。
【課題を解決するための手段】
【０００３】本考案は、人形の口の中の歯ぐきの場所に医療用シリコンワックスを配置する事により、乳歯が抜けるたびに人形に乳歯を植え、全部抜けると人形の歯が生え揃う乳歯収納人形である。
【考案の効果】
【０００４】乳歯が抜けるたびに乳歯収納人形の歯が増えるという楽しみもあり、生え揃えば、それがその子供の記念の品になるという効果がある。
【図面の簡単な説明】
【図１】本考案の正面図である。
【図２】本考案の側面図である。
【図３】本考案の斜面図である。
【符号の説明】
１  医療用シリコンワックス
２  溝
【図１】
0003136164.tif 000003
【図２】
0003136164.tif 000004
【図３】
0003136164.tif 000005
(57)【要約】【課題】スキーやスノーボードなどで使用されるフェイスマスクは、目出帽のような帽子と一体型のものと、顔面のみを覆うものとに大別され、前者のものは防寒の点で優れているが、帽子と一体のため着脱が面倒であるなどの欠点が存し、後者のものは前者のものに比し防寒性に劣るものの装着脱が容易であるなどの特徴を有している。  しかしながら、装着脱が容易であるが故に、比較的簡単に外れてしまう欠点を有していた。そこで、後者のものであっても使用中簡単に外れないフェイスマスクを提供するものである。【解決手段】冬季間野外で使用されるフェイスマスクにおいて、顔面下部を全体的に覆うに適した大きさを呈するフェイスマスクの、内面上方直状部の中心部に、公知のマスクを着脱自在に取付けたことを特徴とし、また、このフェイスマスクを後頭部で固定可能に、上方の直状部両端部に着脱自在な連結固定手段を設けて問題解決の手段としている。【選択図】図１
0003136142.tif 000002
【実用新案登録請求の範囲】
【請求項１】
冬季間、野外で使用されるフェイスマスクにおいて、
顔面下部を全体的に覆うに適した大きさを呈するフェイスマスクの、内面上方直状部の中心部に、公知のマスクを着脱自在に取付けたことを特徴とするフェイスマスク。
【請求項２】
該フェイスマスクを着装固定可能に、本体上方の直状部両端部に、連結着脱自在な固定手段を設けた事を特徴とする請求項１記載のフェイスマスク。
【考案の詳細な説明】
【技術分野】
【０００１】  本考案はスキーやスノーボードなど冬季間野外で使用されるフェイスマスクに係り、使用中ずれたり外れたりすることを防止するように考えられたものである。
【背景技術】
【０００２】  スキーやスノーボードなど冬季間野外で使用されるフェイスマスクは、目出帽のように頭部から被る帽子と一体型のものと、顔面のみを覆うものとに大別される。
前者のものは防寒の点で優れているが、帽子と一体のため装着脱が面倒であるなどの欠点が存する。後者のものは前者のものに比し防寒性に劣るものの装着脱が容易であるなどの特徴を有している。しかしながら、装着脱が容易であるが故に、比較的簡単に外れてしまう欠点を有していた。【０００３】  したがって、後者のものであっても、使用中簡単に外れないフェイスマスクが求められている。
【考案の開示】
【考案が解決しようとする課題】
【０００４】  そこで本考案では、顔面のみを覆うタイプのフェイスマスクに改良を加え、使用中簡単に外れないようにして、抱えている問題を解決しようとするものである。
【課題を解決するための手段】
【０００５】  冬季間野外で使用されるフェイスマスクにおいて、顔面の下部を全体的に覆うに適した大きさを呈するフェイスマスクの、内面上方直状部の中心部に、例えば風邪疾病のとき使用される公知のマスクを着脱自在に取付けたことを特徴とし、また、フェイスマスク本体上方の直状部両端部に、連結着脱自在な固定手段を設けることで課題を解決するための手段としている。
【考案の効果】
【０００６】  本考案は以上のように、フェイスマスク本体の、内面上方直状部の中心部に、例えば風邪疾病のとき使用される公知のマスクを着脱自在に取付けたことを特徴としたものであり、また、マスク本体上方の直状部両端部に連結着脱自在な固定手段を設けて構成されたものであるから、以下の効果を奏する。【０００７】（１）内面上方直状部の中心部に公知のマスクを取付け、しかる後にフェイスマスクを顔に着装するので中心部がしっかり固定され、ずれずに安定した状態で保持される。【０００８】（２）マスク本体上方の直状部両端部に着脱自在な固定手段を設けてあるので、フェイスマスクの端末固定が容易であり、装着脱が簡便に行える。【０００９】（３）内面に別体の公知マスクを設けられているので、顔面主要部は二層を形成することになり保温性が向上する。
【考案を実施するための最良の形態】
【００１０】  本考案のフェイスマスクは主要な二つの部材から構成され、第一の部材は顔面下部を全体的に覆うに適した大きさを呈する例えばバンダナのような布生地で作られるフェイスマスク本体で、第二の部材は、このスマス本体内面の上方直状部の中心部に、着脱自在に取付けられる公知のマスクである。【００１１】  該公知マスクは例えば、花粉症対策用のものや、或いは風邪疾病のとき使用されるものが使用され、その取付けは例えばマジックテープ（登録商標）のような面テープなどによってなされることが望ましい。【００１２】  フェイスマスク本体内面の上方直状部両端部に設けられる固定手段は、フェイスマスクを装着脱するためのものであって、手袋を使用していても簡単に行えるように、例えばマジックテープ（登録商標）のような面テープなどによってなされることが望ましい。
【実施例】
【００１３】  図面に示す実施例に基づき本考案を説明すると、本考案のフェイスマスクは主要な二つの部材から構成され、図１において、第一の部材は符号１で示された顔面下部を全体的に覆うに適した大きさを呈するバンダナのような生地で作られるフェイスマスク本体で、第二の部材は符号２で示された公知のマスクであって、このマスクの両側には引っ掛け紐４を備えている花粉症対策用のものや、或いは風邪疾病のとき使用されるものが用いられる。【００１４】    該マスク２はフェイスマスク本体１の内面上方直状部の中心部に、公知のマジックテープ（登録商標）などの面テープによって着脱自在に取付けられる。【００１５】  このフェイスマスク１の顔面への着装は、内面の上方直状部の両端部に前記のような公知の面テープ３を取付け、着装後にこの面テープで、後頭部で両端が着脱自在に連結固定が行われる。
【図面の簡単な説明】
【００１６】
【図１】本考案フェイスマスクを説明する図である。
【図２】本考案フェイスマスクの使用状態を説明する図である。
【符号の説明】
【００１７】１フェイスマスク本体      ２公知マスク      ３面ファスナー      ４引っ掛け紐
【図１】
0003136142.tif 000003
【図２】
0003136142.tif 000004
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
冬期間、野外で使用されるフェイスマスクにおいて、
顔面下部を全体的に覆うに適した大きさを呈するフェイスマスクの、内面上方直状部の中心部に、マスクを着脱自在に取付けたことを特徴とするフェイスマスク。
【請求項２】
該フェイスマスクを着装固定可能に、本体上方の直状部両端部に、連結着脱自在な固定手段を設けたことを特徴とする請求項１記載のフェイスマスク。
(57)【要約】      （修正有）【課題】ゴルフ競技において、熟練した高い精度や技術を必要とするパッティングのスイングを、容易に真っ直ぐで正確な円軌道のスイングを可能とすることができるパターとパッティング方法を提供する。【解決手段】長尺や中尺とよばれる、通常より長いパターのグリップで、断面を四角形または円形としフェース面と平行する部分に、親指と中指または人差し指で強く摘むことで、球面に窪む部位を配置した構造とするパターである。本パターのパッティング方法は、右利きの場合、球面に窪む部位を左手により摘まみ、スイングの円運動の支点とするべく左手腕部を固定する。右手の親指と人差し指によりグリップ下部を挟みパターを優しく打ち出す。【選択図】図１
0003136148.tif 000002
【実用新案登録請求の範囲】
【請求項１】
パターのグリップにおいて、グリップ断面を四角形または円形としパターのフェース面と平行する部分に、親指と中指または人差し指で強く摘むことで球面に窪む部位を配置した構造とするもので、右利きの場合、左手の指で作る球面に窪む部位を支点としてスイングの回転中心とし、右手で優しく送り出すことで、正確な円軌道を得られることを特徴としたゴルフパター。
【請求項２】
ゴルフに使用する手袋において、右利きの場合、左手のグリップを摘まむ指の腹部分を摩擦抵抗の少ない素材とすることや、摩擦抵抗が少ない突起した部位を設けることにより、その部位によりグリップを摘まんだ点を支点としてスイングの回転中心とし、右手で優しく送り出すことで、正確な円軌道を得られることを特徴としたゴルフ手袋。
【考案の詳細な説明】
【技術分野】
【０００１】本考案は、ゴルフ競技に使用するパタークラブに関する。
【背景技術】
【０００２】ゴルフ競技においてパッティングの打数は重要であり、今までにパタークラブはさまざまな形状が考案されてきた。またパッティング方法も競技者により千差万別であるが、そのスイングには熟練した競技者の高い精度や技術、精神力が必要である。【０００３】グリップに膨らみや窪みをつけて、振り子円運動をさせようとするゴルフクラブの特許も出願されているが、ゴルフ協会の規則に適合しないために実用化されていない。
【特許文献１】  特許公開  ２００５−３４５６２
【考案が解決しようとする課題】
【０００４】本考案は、熟練した高い精度や技術、精神力を必要とするパッティングのスイングを、簡単な構造とパッティング方法により、容易に真っ直ぐで正確な円軌道のスイングにすることを課題とする。
【課題を解決するための手段】
【０００５】本考案は、ゴルフクラブのグリップにおいて、断面を四角形または円形としフェースと平行する部分に、指により摘む力を加えることで球面に窪む構造をもった部位を持つことを特徴とする。
【０００６】グリップは、摩擦抵抗の少ない素材を使用することで、指により摘まれたことによる窪んだ部位が、ゴルフクラブのスイングの円運動の支点としての滑らかな動きを可能にすることを特徴とする。
【０００７】〔０００５〕〔０００６〕の効果を得る他の方法として、ゴルフに使用する手袋において、摘まむ指の腹部分を摩擦抵抗の少ない素材とすることや、摩擦抵抗が少ない突起を設けることにより、グリップを摘まんだ部位を回転運動の支点とすることができることを特徴とする。
【０００８】グリップの形状は、断面をパターのフェース面と平行する辺が長い長方形の形状とすることで、グリップの面や角の動きによりスイングが目標方向に打ち出されていることを確認しながら調整することができる。グリップの面や角は目線に近い手元にあるため視認しやすく正確なスイングを可能にすることができることを特徴とする。
【考案を実施するための最良の形態】
【０００９】以下に、本考案の実施の形態を図面により説明する。
（図１）は本考案のグリップの実施例の正面図である。
ゴルフクラブのグリップにおいて、断面を四角形または円形とし、グリップの頂部２よりやや下の部分にフェース面１と平行した円筒状の空洞３を設ける。その部分を指で摘まむことで、球面状の窪みを形成しスイングの円運動の支点４とする。さらにゴルフに使用する手袋において摘まむ指の腹部分を摩擦抵抗の少ない素材とすることでより滑らかな円運動を得ることができる。
球面状の窪みを形成する手段として、円筒状の空洞３のほかに、グリップ全体が軟らかく摩擦抵抗の少ない材料を使用するなど他の方法をとっても良い。
（図２）は本考案のパッティング方法の実施例を右利きの場合で説明する。
左手１の指で摘まれた球面状の窪み２をスイング回転の支点とするために、グリップ３を摘まんだ左上腕部４を右胸の前で固定する。グリップ３は軽く伸ばした右手５の親指の付け根あたりまでの長さを有し、右手５の親指と人差し指でグリップ３を挟みシャフト６とパターヘッド７を、フェース面８が目標に直角に円運動することに留意しながらボール９を打ち出す。【００１０】（図３）は本考案のゴルフに使用する手袋の実施例である。パターのフェース面１と平行になる部分を指で摘まみ滑らかに回転させるために、摘まむ指２の腹部分を摩擦抵抗が少ない素材とするか、摩擦抵抗の少ない突起３を設ける。そのことにより摘ままれる部位４をスイングの回転運動の支点とすることができる。
【考案の効果】
【００１１】従来のパターおよびパッティング方法は、窮屈な姿勢のなかで全身と両腕を使って、ボールへの打点の高さ、方向性、強弱などを微妙に調整しなければならず、カップインするためには熟練した技術と精神力が必要であった。本考案では右利きの場合、左手で摘まんだ球面の窪みをスイングの円運動の支点として固定することができるため、スイングが円軌道となることでボールへの打点の高さや方向性が安定し、強弱の調整を利き腕だけによりコントロールすることで微妙な調整も容易になり、カップインの可能性を高めることができる。
【図面の簡単な説明】
【図１】本考案のグリップの実施例の正面図
【図２】本考案のパッティング方法の実施例
【図３】本考案のゴルフに使用する手袋の実施例
【図１】
0003136148.tif 000003
【図２】
0003136148.tif 000004
【図３】
0003136148.tif 000005
(57)【要約】【課題】  従来のハンガーは、ズボン等の掛け物をハンガーフレームの枠の中を通さなけらばならないわずらわしさや、ずり落ちの問題が生じてしまうなどの課題があった。【解決手段】  ハンガーの下部フレームを渦巻きクリップ状のフレーム（１ａ、１ｂ、１ｃ）にすることで、そのフレームの左右（Ｌ、Ｒ）のどちらからでも簡単に掛け物をスライド挿入させることができ、かつ、それにより発生したバネ効果（締付力Ｖ）で挟みつけて掛け物（４）の滑り落ちを防止することが可能になる。【選択図】図４
0003136141.tif 000002
【実用新案登録請求の範囲】
【請求項１】
ハンガーの下部フレームを小判形の渦巻クリップフレーム（１）（渦巻部は連続性をもった三本フレーム（１ａ）、（１ｂ）、（１ｃ））としたハンガーである。
【考案の詳細な説明】
【技術分野】
【０００１】  洋服かけ、タオルかけ、洗濯物かけなどの日用品に関するものである。
【背景技術】
【０００２】（Ａ）  従来の上部と下部フレームが一体となったハンガーは、ズボンやタオル等の掛け物をハンガーフレームの枠の中に通さなけらばならず、ハンガーをにぎった反対の手でそれを行うことに、わずらわしさがあった。
（Ｂ）  従来の上部と下部フレームのつなぎ部分の一端が開いた片持ち形式のハンガーは、操作が簡単な反面、ずり落ちの問題が生じてしまうなどの欠点があった。
【考案の開示】
【考案が解決しようとする課題】
【０００３】  ハンガーフレームの中を通すことなく容易に掛け物をかけることができ、しかも、滑り落ちを防止しできるハンガーである。
【課題を解決するための手段】
【０００４】  ハンガーの下部フレームを小判型の渦巻きクリップ形式のフレーム（１）にすることにより解決することができる。
【考案の効果】
【０００５】  渦巻きクリップフレーム（１）の両端の半円形部分（Ｌ）、（Ｒ）の、どちらからでも、掛け物を容易にスライド挿入させるだけでかけることができ、また渦巻きクリップフレーム（１）にすることで発生したバネ効果（図３、締付力Ｖ）により掛け物をフレーム（１ａ）、（１ｃ）で挟み込み、滑り落ちを防止することができる。
【考案を実施するための最良の形態】
【０００６】（Ａ）  渦巻きクリップフレーム（１）（下部フレーム）
（イ）  材質及び形状は、スチール、アルミ、ステンレス、プラスチック等の棒又はパイプ。
（ロ）  渦巻きクリップフレーム（１）は、小判形とし上部フレームの肩先付近まで伸ばす。
（ハ）  掛け物をはさみつける二本の（１ａ）、（１ｃ）フレームは、平列タイプ（図１）又は平列交差タイプ（図２）とする。平列交差タイプ（図２）は、掛け物の重さによるタワミを考慮したものである。
（ニ）  渦巻きクリップフレーム（１）の両端の半円形部位（図１、図２の（Ｌ）、（Ｒ））はそれぞれ前後反対方向（（Ｌ）手前、（Ｒ）前方）に、反りをつける。これにより、掛け物を左右のどちらからでもスムーズにスライド挿入することが容易となる。
（Ｂ）  上部フレーム（２）
（イ）  渦巻きクリップフレーム（１）と連結する上部フレーム（２）の材質は同質又は異質の物とする。
（ロ）  渦巻きクリップフレーム（１）と上部フレーム（２）が同材質又は類似形状のときは、連続性を持たせた一体構造とすることによりフレームのバネ効果を、より高める。
【実施例】
【０００７】  渦巻きクリップフレーム（１）の材質に比較的細いステンレス棒等を使用した場合で、掛け物の折り返しにより生じるフレーム（１ｂ）のタワミや細さにより生じるシワは、フレーム（１ｂ）にシワ防止棒（芯抜きの両サイド円錐形状の太めの円柱バー（木製）等）をとりつけることにより、改善される。【０００８】  渦巻きクリップフレーム（１）と上部フレーム（２）を異材質又は異形状とした場合でも、渦巻きクリップフレームの効果は変わらない。
【産業上の利用可能性】
【０００９】
【図面の簡単な説明】
【００１０】
【図１】  本考案の正面図（１ａ、１ｃフレーム並列タイプ）
【図２】  本考案の正面図（１ａ、１ｃフレーム並列交差タイプ）
【図３】  本考案の断面図  （３−３断面）
【図４】  本考案の使用例
【符号の説明】
【００１１】  １    渦巻きクリップフレーム（ハンガー下部フレーム）
２    ハンガー上部フレーム
３    断面図切断位置
４    掛け物
１ａ  渦巻きクリップフレームを構成する１ａフレーム
１ｂ  渦巻きクリップフレームを構成する１ｂフレーム
１ｃ  渦巻きクリップフレームを構成する１ｃフレーム
Ｌ    渦巻きクリップフレームの左右コーナー部の左半円形部分
Ｒ    渦巻きクリップフレームの左右コーナー部の左半円形部分
Ｖ    締付力
【図１】
0003136141.tif 000003
【図２】
0003136141.tif 000004
【図３】
0003136141.tif 000005
【図４】
0003136141.tif 000006
【手続補正書】
【提出日】平成19年7月13日(2007.7.13)
【手続補正１】
【補正対象書類名】実用新案登録請求の範囲
【補正対象項目名】全文
【補正方法】変更
【補正の内容】
【実用新案登録請求の範囲】
ハンガーの下部フレームを小判形の渦巻状にすることで、掛け物のスライド挿入及び滑り落ちの防止を可能にした、渦巻きクリップフレームハンガー。
(57)【要約】【課題】  本考案は便座一体型洋式便器の便器本体の前頭の上層部に、尿漏れを防ぐ特殊膨らみを設け、便器外への尿漏れを防ぎ、便器、便座、便座カバー、トイレ室等の汚れを防ぐ事が出来、清潔、衛生も保たれる。【解決手段】  本考案は。便座一体型洋式便器の便器の前頭の上層部に特殊膨らみを設けたもので、４の便器の蓋を上げて男子が３の便座に座って小用を足すとき、通常の便器では便器と便座と間からの尿漏れの危険性があり、便器の上層部の１の特殊膨らみで尿漏れ防止に役立つ。【選択図】図２
0003136339.tif 000002
【実用新案登録請求の範囲】
【請求項１】
便座一体型洋式便器の便器本体の前頭の上層部の一部に尿漏れを防ぐ為の特殊膨らみを設けた事を特徴とする特殊便座一体型洋式便器。
【考案の詳細な説明】
【技術分野】
【０００１】  本考案は、便座一体型洋式便器の便器本体の前頭の上層部の一部に尿漏れ防止の特殊膨らみを設けた事に関するもである。
【背景技術】
【０００２】  男子は立って便座一体型洋式便器で小便の用をたす時、便器外に尿が飛び散らないようにする必要がある。そこで男子も女子と同様に便座に腰掛けて用をたします。
【考案の開示】
【考案が解決しようとす課題】
【０００３】  現在の一般的な住宅のトイレでは便座一体型洋式便器が一つ設置してあり、男子は小便の用をたす時、尿が飛び散らないように立ってしないで、便座に腰掛けて用をたしますが、従来の洋式便器では便器と便座の隙間から尿が便器外に漏れます。そこで便器の前頭の上層部の一部に特殊膨らみを設けて前述の欠点を解決しようとするものです。
【課題を解決する為の手段】
【０００４】  本考案は、便座一体型洋式便器の便器本体の前頭の上層部の一部に特殊膨らみを設け、男子の尿の便器外への尿漏れを防ぎます。一般に便座に腰掛けた女子の放尿角度は洋式便器の高さより下方向ですが、便座に腰掛けた男子の放尿角度は洋式便器より上方向の場合があるので、便器と便座との隙間から尿が漏れ不衛生である。そこで便器の前頭の上層部の一部に特殊膨らみを設けて尿漏れを防ぎ、問題を解決してる。
【考案の効果】
【０００５】  上述の様に、本考案の便座一体型洋式便器の便器本体の前頭の上層部の一部に特殊膨らみを持たせた便器は、男子の小用時の便器外の尿漏れを防ぎ、便器、便座、便座カバー等の汚れ、トイレ室の汚れ等を防ぎ、トイレ室の衛生、清潔性が保たれる。
【考案の実施する為の最良の形態】
【０００６】  男子は小用をたす時、立って行わず、便座一体型洋式便器の便器本体の前頭の上層部の一部に特殊膨らみを設けた便器で便座に腰掛けて小用をたす、放尿は便器の前頭の上層部に設けた殊膨らみの内部でカバーされ、便器外の尿漏れを防ぐよう設定します。
【実施例】
【０００７】  以下、添付図面に従って一実施例を説明する。１は尿漏れ防止の為の便座一体型便器の便器本体の前頭の上層部の一部に設けた特殊膨らみ、２は便座一体型便器の便器本体である。３は特殊膨らみの便器に合わせた便座、４は便器の蓋である。５は便器本体の前頭の上層部に設けた膨らみの内部である。
【図面の簡単な説明】
【０００８】
【図１】本考案の便座一体型便器の便器本体の横断面の一例図。
【図２】本考案の便座一体型便器の一部横一例図。
【符号の説明】
【０００９】１  便座一体型便器の便器本体の前頭の上層部の一部に設けた特殊膨らみ
２  便座一体型便器の便器本体
３  便器一体型便器の便座
４  便器一体型便器の便器蓋
５  便器一体型便器の便器本体の前頭の上層部の一部に設けた特殊膨らみの内部
【図１】
0003136339.tif 000003
【図２】
0003136339.tif 000004
(57)【要約】【課題】  海中に長時間沈潜させて使用する観測装置等に付属する通信装置のアンテナを収納したアンテナケースの外側に着脱可能なアンテナカバーを被せたアンテナ防護装置のアンテナカバーの剥脱を容易にするためのものである。【解決手段】  半円球形のアンテナカバー（１）とアンテナカバーが接合する円形のアンテナベース（３）との接合部分の外周に、中心から外周へ向けてテーパを形成し、外周の接合部分の先端が先細になるようにすることによって、アンテナカバー（１）とアンテナベース（３）の切り離し部分に貝類、藻類等が付着しにくくするとともに、貝類、藻類等の付着力の弱い点接合にすることにより剥脱しやすい構造にしたものである。【選択図】図１
0003136335.tif 000002
【実用新案登録請求の範囲】
【請求項１】
海中に長時間沈潜させて使用する観測装置等に付属する通信装置のアンテナを収納したアンテナケースの外側に着脱可能なアンテナカバーを被せ、沈潜中に発生する貝類、藻類の付着からアンテナケースを防護し、浮上直後にアンテナカバーを自動的に離脱させるアンテナ防護装置において、半円球形のアンテナカバーとアンテナカバーが接合する円形のアンテナベースとの接合部分の外周に、中心から外周へ向けてテーパを形成し、外周の接合部分の先端が先細になるように形成したことを特徴とするアンテナ防護装置のアンテナカバー剥脱容易構造
【考案の詳細な説明】
【技術分野】
【０００１】  本考案は、海中に長時間沈潜させて使用する観測装置等に付属する通信装置のアンテナを収納したアンテナケースの外側に着脱可能なアンテナカバーを被せたアンテナ防護装置のアンテナカバー剥脱を容易にする構造に関するものである。
【背景技術】
【０００２】  海中等に沈潜させて種々の観測データを収集する装置として、従来から地震計、流速・流向計、塩分濃度計等が使用されている。これらの装置は海中において蓄積したデータを回収するために時限装置で浮上させ、その位置を通報するため無線通信装置を使用する。これらには必然的にアンテナが必要となり、各装置の上部に防水処置を施したアンテナケース内に設置される。さらに、海中に長時間沈潜した物体には、貝類、藻類等が短時間で付着してその物体を覆うことはよく知られている。そこで、アンテナケースの外側に更にアンテナカバーを設けて、内部のアンテナケースの表面を保護し、装置の浮上後、内部に設けた圧搾気体ボンベを開封し、気体の圧力によってアンテナカバーを剥脱させている。
【考案の開示】
【考案が解決しようとする課題】
【０００３】  しかし、貝類、藻類等の付着力は付着する面積が大きいと強く、小さいと弱くなるため、アンテナカバーとアンテナカバーが接合するアンテナベースとの接合部分において、図２に示すとおり、アンテナカバー（１）とアンテナベース（３）の外面が同一面を形成していると、貝類、藻類等の付着力が強力で大量の貝類、藻類等が付着すると、内部の気体の圧力によってアンテナカバーを確実に剥脱させることが困難になる恐れがある。【０００４】  本考案のアンテナカバー剥脱容易構造は、上記の問題を解決するためになされたもので、半円球形のアンテナカバーとアンテナカバーが接合する円形のアンテナベースとの接合部分の外周に、中心から外周へ向けてテーパを形成し、外周の接合部分の先端が先細になるようにすることによって、アンテナカバーとアンテナベースの切り離し部分に貝類、藻類等が付着しにくくするとともに、貝類、藻類等の付着力の弱い点接合にすることにより剥脱しやすい構造にしたことを特徴とするアンテナ防護装置のアンテナカバー剥脱容易構造である。
【考案の効果】
【０００５】  本考案では、アンテナカバーとアンテナベースの切り離し部分に貝類、藻類等が付着しにくくするとともに、貝類、藻類等の付着力の弱い点接合にすることにより、内部の気体の圧力によってアンテナカバーを容易に剥脱させることができる。
【考案を実施するための最良の形態】
【０００６】  以下、本考案によるアンテナ防護装置のアンテナカバー剥脱容易構造を実施するための最良な形態について、図面を参照して説明する。
【実施例】
【０００７】  図１に示す半円球形のアンテナカバー（１）とアンテナカバーが接合する円形のアンテナベース（３）との接合部分の外周（Ａ部分）に、中心から外周へ向けてテーパを形成し、外周の接合部分の先端が先細になるように成形したものである。【０００８】  図２は、アンテナカバー（１）とアンテナベース（３）の外面が同一面を形成し、その外面に貝類、藻類等が付着している状況を示す図である。貝類、藻類等の付着力は付着する面積が大きいと強く、小さいと弱くなるため、アンテナカバーとアンテナカバーが接合するアンテナベースとの接合部分において、図２に示すとおり、アンテナカバー（１）とアンテナベース（３）の外面が同一面を形成していると、貝類、藻類等の付着する面積が大きく、大量の貝類、藻類等が付着し、内部の気体の圧力によってアンテナカバーを確実に剥脱させることが困難になる恐れがある。【０００９】  図３は、本考案のアンテナカバー剥脱容易構造を示し、その外面に貝類、藻類等が付着した状態を示した図である。半円球形のアンテナカバー（１）とアンテナカバーが接合する円形のアンテナベース（３）との接合部分の外周に、中心から外周へ向けてテーパを形成し、外周の接合部分の先端が先細になるようにすることによって、アンテナカバー（１）とアンテナベース（３）の切り離し部分に貝類、藻類等が付着しにくくするとともに、貝類、藻類等の付着力の弱い点接合にすることにより剥脱しやすい構造にしたものである。こうすることにより内部の気体の圧力によってアンテナカバーを容易に剥脱させることができる。
【産業上の利用可能性】
【００１０】  本考案のアンテナ防護装置のアンテナカバー剥脱容易構造によれば、容易にアンテナカバーを剥脱させることが可能となり、沈潜時に貝類、藻類の付着したアンテナカバーを浮上と同時に容易に剥脱し、海中に沈潜して動作する観測装置等の浮上後の通信機能が、短時間に有効に動作する。この結果、海上に浮遊する浮上した観測装置等の回収が容易になる。
【図面の簡単な説明】
【００１１】
【図１】  アンテナ防護装置全体の構造及びアンテナカバー剥脱を容易にする構造を示す構造図である。
【図２】  アンテナカバー（１）とアンテナベース（３）の外面が同一面を形成し、その外面に貝類、藻類等が付着している状況を示す図である。
【図３】  本考案のアンテナカバー剥脱容易構造を示し、その外面に貝類、藻類等が付着した状態を示した図である。
【符号の説明】
【００１２】１；アンテナカバー
２；アンテナケース
３；アンテナベース
４；アンテナ
５；ガスボンベ
６；ボンベケース
７；ソレノイド
８；ソレノイドケース
９；撃針
１０；ソレノイド駆動回路
１１；圧力スイッチ
１２；電池
１３；送信装置
１４；外筐
１５；貝類・藻類
【図１】
0003136335.tif 000003
【図２】
0003136335.tif 000004
【図３】
0003136335.tif 000005
(57)【要約】【課題】本考案は内側の寸法を測る時、内側計測用物差しを設け、スケールの目盛りをよむところを曲げないと計れないところでも、スケールを曲げないで計れるようにする。【解決手段】本考案はスケール本体１に内側計測用物差し４を設け、その片方をビス３にて枢着した内側計測用物差し４が回転できるようにし、その内側計測用物差し４の長さを、スケール本体１から伸ばしたときにスケール本体１の目盛りが見え隠れするところまでの長さが、１０センチメートルになるように枢着する。内側の寸法を測るときはスケールの目盛りの０点２を片方の計る位置にあて、スケール本体１から伸ばした状態の内側計測用物差し４の端をもう一方の計る位置にあて、スケール本体１の目盛りが見え隠れするところの目盛りを読みそれに、１０センチメートル加えれば計った長さになる。【選択図】図１
0003136332.tif 000002
【実用新案登録請求の範囲】
【請求項１】
スケール本体に内側計測用物差しを回転できるよう枢着し、内側計測用物差しの長さを、内側計測用物差しをスケール本体から伸ばしたとき、スケール本体から見え隠れする目盛りのところで、１０センチメートルの長さになるよう枢着した内側計測用物差し付きスケール。
【考案の詳細な説明】
【技術分野】
【０００１】本考案は、内側計測用物差しを設けた、スケールに関するものである。
【背景技術】
【０００２】  内側の寸法を測る時、場所によってスケールの目盛りを読むところ曲げないと、寸法が測れない時がある。
【考案の開示】
【考案が解決しようとする課題】
【０００３】  曲がった所で目盛りを読むと、ミリ単位まで正確に読むことはなかなか難しいものである。従って内側計測用物差しを設けることによって、スケールの真直ぐな所で目盛りを読むことにより、ミリ単位まで読むことが可能になり、前述の欠点を解決しようとするものである。
【課題を解決するための手段】
【０００４】  本考案は、スケール本体に内側計測用物差しの片方の端を、回転できるようにビスで枢着し、内側計測用物差しの長さを、内側計測用物差しをスケール本体から伸ばしたとき、スケールの本体から見え隠れする目盛りのところで、１０センチメートルの長さになるように枢着することにより、問題点を解決している。
【考案の効果】
【０００５】  上述の様に、本考案の内側計測用物差し付きスケールは、内側計測用物差しをスケールに設けたので、内側の寸法を測る時、従来のスケールでは目盛りを読むところを曲げないと計測できないところでも、スケール本体からの見え隠れするところの目盛りを読み１０センチメートルを加えることにより、ミリ単位までの長さを測ることが出来る。
【考案を実施するための最良の形態】
【０００６】  内側の寸法を測ろうとする時片方の内側にスケールの目盛りの０点をあて、もう一方の内側にスケールの本体から伸ばした、内側計測用物差しの端をあてスケール本体から見え隠れするところの目盛りを読み１０センチメートルを加えれば内側の長さになる。
【実施例】
【０００７】  以下、添付図面に従って一実施例を説明する。１はスケール本体、２はスケールの目盛りの０点のところの引っ掛け、３は内側計測用物差し４が回転できるように枢着したビス、４は伸ばした状態の時の内側計測用物差し。【０００８】  本考案の一実施例は上述の如き構成からなるものであるから、内側をミリ単位まで計れるスケールにもちいることは勿論であるが、内側計測用物差し４を回転させてスケール本体１に重ねておけば内側計測用物差し４は邪魔にならないので、従来のスケールと同じように使用することが出来る。
【図面の簡単な説明】
【０００９】
【図１】本考案の内側計測用物差し付きスケールの実施例を示す正面図である。
【符号の説明】
【００１０】  １  スケール本体
２  スケールの目盛りの０点の引っ掛け
３  ビス
４  内側計測用物差し
【図１】
0003136332.tif 000003